(57)【要約】【課題】可撓性板材の提供。【解決手段】可撓性板材であって、撓性片体両側に、それぞれ、対称に、複数の長さが等しい硬質板体を結合し、中空孔を有さない可撓性板材を構成するか、或いは、複数の撓性片体、或いは、ロープが、それぞれ、対称に、複数の硬質板体に結合され、一部分の硬質板体の長さは、これらの撓性片体、或いは、ロープを完全に覆蓋し、もう一部分の硬質板体の長さは、一撓性片体、或いは、部分的なロープだけを覆蓋し、複数の中空孔を有する可撓性板材を構成する。この種の板材は湾曲可能なので、屏風を製作することもでき、また、各種置物箱、或いは、置物バスケットを製作することもできる。【選択図】    図1
0003121033.tif 000002
【実用新案登録請求の範囲】
【請求項１】
可撓性板材であって、
撓性板体と、
面積が前記撓性板体よりも小さく、且つ、前記撓性板体の対称両面に結合される硬質板体と、
からなり、前記撓性板体の一側面の前記硬質板体の幅は、もう一側面の硬質板体の幅の整数倍で、前記板体の相対両側は斜面を有することを特徴とする可撓性板材。
【請求項２】
可撓性板材であって、
互いに所定距離隔てられ、且つ、平行に分布する複数の撓性板体と、
複数の長板体と複数の短板体を有し、前記長板体と長板体、前記短板体と短板体は、対称に、これらの撓性片体の両側面に結合され、且つ、前記長板体の長さは、前記撓性片体を完全に覆蓋し、前記短板体の長さは、各一撓性片体だけを覆蓋し、複数の中空孔を有する可撓性板体を形成し、前記板体の相対両側は、斜面を有することを特徴とする可撓性板材。
【請求項３】
可撓性板材であって、
互いに所定距離隔てられ、且つ、平行に分布する複数の撓性ロープと、
複数の長板体と複数の短板体を有し、前記長板体と長板体、前記短板体と短板体は、対称に、これらの撓性ロープの両側面に結合され、且つ、前記長板体の長さは、前記撓性ロープを完全に覆蓋し、前記短板体の長さは、部分的な撓性ロープだけを覆蓋し、複数の中空孔を有する可撓性板体を形成し、前記板体の相対両側は、斜面を有することを特徴とする可撓性板材。
【請求項４】
前記長板体、或いは、前記短板体の互いの結合面は、前記ロープを容置する凹槽を有することを特徴とする請求項３に記載の可撓性板材。
【請求項５】
前記板体の断面は台形であることを特徴とする請求項１〜３に記載の可撓性板材。
【請求項６】
前記板体の断面は円弧状であることを特徴とする請求項１〜３に記載の可撓性板材。
【考案の詳細な説明】
【技術分野】
【０００１】
本考案は、剛性と可撓性を兼ね備える板材に関し、詳細には、様々な置物箱、或いは、置物バスケットを製作でき、更には、屏風も作れる板材に関する。
【背景技術】
【０００２】
一般の置物バスケット等の置物バスケットの材料は多種あり、例えば、セラミック、ガラス、木材、プラスチック、ステンレス等があり、置物バスケットは、物品を収納する実用功能以外に、精緻で優美な置物バスケットを生成して、装飾効果を提供することもでき、特に、木材、或いは、竹材を使用して製作した置物バスケットは、素朴な印象を与え、欧米人に人気であり、アクセサリーや各種小物を収納するのに用いられている。
【０００３】
前述のセラミック、ガラス、木材、プラスチック、ステンレス等の材料は、硬質材料であり、製造後の物品は、完全剛性の形態に属する。また、布を利用した置物容器は、布は軟性なので、支承作用を具備しておらず、よって、剛性の支柱により、容器周囲の側壁を支承している。
【０００４】
日本の実用新案登録第３０８１０８７号で開示される竹編物置籠は、凸凹組み合わせ法によって複数の竹材を縦方向と横方向とに交差形態に組み合わせて固定し、それを物置籠の側壁としているが、この構成は面倒で、製造コストも高く、また、この種の竹編構造は、折り曲げ効果も有している。
【０００５】
日本の実用新案登録第３０９２３８０号で開示される剛性およびフレキシビリティーを有するフレキシブル板状材料の構造は、前述の公知の置物箱、或いは、置物バスケット等の容器を製作する剛性、或いは、軟性材料とは異なる。該案は、中空孔の構造を持たず、且つ、撓性片体両側に設けられた硬質板体は、完全に対称に分布している故、使用における選択性が少ない。
【考案の開示】
【考案が解決しようとする課題】
【０００６】
本考案は、公知技術の可撓性板材が可撓性と剛性を有するが、中空孔を有さず、且つ、撓性片両側の硬質板体が完全に対称に分布している故に、使用における選択性が少ないという欠点を改善する新規の剛性と可撓性を兼ね備える板材を提供することを目的とする。
【課題を解決するための手段】
【０００７】
本考案の第一技術手段は、撓性片体の両側は、それぞれ、複数の硬質板体を結合し、撓性片体一側面の硬質板体の幅は、もう一側面の硬質板体の幅の整数倍で、これにより、中空孔を有さず、両側の形式が異なる可撓性板材を構成する。
【０００８】
本考案の第二技術手段は、複数の撓性片体が、所定距離隔て、且つ、平行に分布し、撓性片体の両側は、複数の長板体と複数の短板体を結合し、長板体と長板体、短板体と短板体は、対称に、これらの撓性片体の両側面に結合し、且つ、長板体の長さは、これらの撓性片体を完全に覆蓋し、短板体の長さは、各一撓性片体だけを覆蓋し、複数の中空孔を有する可撓性板材を形成する。
【０００９】
本考案の第三技術手段は、撓性コードにより、前述の撓性片体を代替し、且つ、撓性コードは、所定距離隔て、且つ、平行に分布し、撓性コード両側は、複数の長板体と複数の短板体を結合し、長板体と長板体、短板体と短板体は、対称に、これらの撓性コードの両側面に結合し、且つ、長板体の長さは、これらの撓性コードを完全に覆蓋し、短板体の長さは、部分的な撓性コードだけを覆蓋し、複数の中空孔を有する可撓性板材を形成する。
【００１０】
本考案の第四技術手段は、各板体の両側に、斜面、或いは、円弧面を形成し、これにより、該板材をうまく捲曲する。
【考案の効果】
【００１１】
公知技術の可撓性板材が可撓性と剛性を有するが、中空孔を有さず、且つ、撓性片両側の硬質板体が完全に対称に分布している故に、使用における選択性が少ないという欠点を改善する新規の剛性と可撓性を兼ね備える板材が提供され、これにより、様々な置物箱、或いは、置物バスケットを製作でき、更には、屏風も作れる。
【考案を実施するための最良の形態】
【００１２】
図１と図２は、本考案の第一実施例を示す図であり、撓性片体２と複数の硬質板体１から構成される。硬質板体は、更に、複数の上板体１Aと下板体１Bからなり、上板体１Aの幅は、下板体１Bの整数倍、例えば、２倍、３倍などである。撓性片体２は、高靭性、高強度の軟質布材を採用するか、或いは、その他の高靭性、高強度の材質を採用する。板材の質感を突出させるために、上下板体１A、１Bは、好ましくは、木からなり、その形状は、設計理念によって、いかなる形状にもできる。例えば、図１で示される実施例では、上下板体１A、１Bは、台形（相対する両側が斜面を有する）を呈する設計、或いは、半円弧断面の設計を採用してもよい。
【００１３】
図１で示される構造の、その結合方式は、撓性片体２と上下板体１A、１Bの底面に、粘着剤を塗布し、その後、上下板体１A、１Bをそれぞれ、対称に、撓性片体２の相対両面に粘着して、一枚の完全な板材を構成する（図２で示される）。この板体の両側面は、それぞれ、異なる幅を有する形態で、且つ、この種の板材は湾折でき、相隣する板体間が湾折できる箇所であり、よって、事実上、撓性片体２は折り曲げられる。
【００１４】
図３と図４は、本考案の第二実施例を示す図であり、複数の撓性片体２と複数の硬質板体からなる。複数の撓性片体２は、所定距離隔て、且つ、平行に分布する。複数の硬質板体は、複数の長板体１Cと複数の短板体1Dを有し、長板体１Cと長板体１C、短板体1Dと短板体1Dは、対称に、これらの撓性片体２の両側面に結合され、且つ、長板体１Cの長さは、これらの撓性片体２を完全に覆蓋し、短板体１Dの長さは、各一撓性片体２だけを覆蓋し、複数の中空孔を有する可撓性板材を形成する（図４で示される）。
【００１５】
図５は、本考案の第三実施例を示す図で、主に、複数の撓性コード３により、前述の第二実施例の撓性片体を代替し、即ち、撓性コード３は、互いに所定距離隔て、且つ、平行に分布する。撓性コード３両側は、それぞれ、複数の長板体１Cと複数の短板体１Dを結合し、長板体１Cと長板体１C、短板体1Dと短板体1Dは、対称に、これらの撓性コード３の両側面に結合し、且つ、長板体１Cの長さは、これらの撓性コード３を完全に覆蓋し、短板体１Dの長さは、部分的な撓性コードだけを覆蓋し、複数の中空孔を有する可撓性板材を形成する。長、短板体が緊密に結合できるように、本考案は、更に、板体１C、或いは、短板体1Dの互いの結合面に、撓性コード３を容置する凹槽１C１と１D１を有する。
【図面の簡単な説明】
【００１６】
【図１】本考案の実施例による、撓性片体の両面に、それぞれ、異なる幅の硬質板体を結合する立体分解図である。
【図２】図１の素子組み立て後の状態を示す立体図である。
【図３】本考案の実施例による複数の撓性片体の対称両面に、多種の長さの硬質板体を結合する立体分解図である。
【図４】図３の素子を組み立てて中空を形成した状態を示す立体図である。
【図５】本考案の実施例による複数の撓性ロープの対称両面に、多種の長さの硬質板体を結合する立体分解図である。
【符号の説明】
【００１７】
１        硬質板体
１A      上板体
１B      下板体
１C      長板体
１C１    凹槽
１D      短板体
１D１    凹槽
２        撓性片体
３        撓性ロープ
【図１】
0003121033.tif 000003
【図２】
0003121033.tif 000004
【図３】
0003121033.tif 000005
【図４】
0003121033.tif 000006
【図５】
0003121033.tif 000007